(57)【特許請求の範囲】
【請求項１】
便器本体の後部上面に固定されて便器洗浄水を貯留するタンクと、
前記タンクの周囲を覆うとともに前面側に開口部が形成されたタンクカバーと、
前記開口部を閉鎖するように取り付けられる壁部材と、
前記壁部材の前面側に固定される背もたれ部材と、を備え、
前記背もたれ部材が、前記壁部材にねじ止めされており、
前記タンクカバーの上面側に、蓋部材によって開閉される開口部が設けられ、
前記上面側の開口部から前記ねじ止め作業が可能とされている便器装置。
【請求項２】
前記タンクカバー内に配されて前記便器本体に固定されるとともに前記壁部材が固定されるフレームを備えている請求項１に記載の便器装置。
【請求項３】
前記背もたれ部材の後面に設けられて前記壁部材に係止する係止部を備えている請求項１または請求項２に記載の便器装置。
【発明の詳細な説明】
【技術分野】
【０００１】
本発明は、便器装置に関する。
【背景技術】
【０００２】
従来、用便時に、使用者の背中をもたせかけることが可能な背もたれ部材が備えられた便器装置が知られている。例えば下記特許文献１に記載の便器装置は、床面に固定された本体フレームに、背もたれ部材が取り付けられている。本体フレームは、便器の左右の床面に立つ一対の脚部を有し、背もたれ部材は、一対の脚部の上端部に架け渡された架設部材に固定されている。
【先行技術文献】
【特許文献】
【０００３】
【特許文献１】特開２０１４−８７４６２号公報
【発明の概要】
【発明が解決しようとする課題】
【０００４】
しかしながら、上記のような構成の便器装置では、背もたれ部材が前後方向にがたつきやすいため、もたれたときにグラツキ感を生じるという問題があった。
【０００５】
本発明は上記のような事情に基づいて完成されたものであって、背もたれ部材が前後方向にがたつくことを防ぐことが可能な便器装置を提供することを目的とする。
【課題を解決するための手段】
【０００６】
本発明の便器装置は、便器本体の後部上面に固定されて便器洗浄水を貯留するタンクと、前記タンクの周囲を覆うとともに前面側に開口部が形成されたタンクカバーと、前記開口部を閉鎖するように取り付けられる壁部材と、前記壁部材の前面側に固定される背もたれ部材と、を備えている。
【発明の効果】
【０００７】
本発明によれば、背もたれ部材が壁部材を介してタンクカバーに固定されるから、背もたれ部材が前後方向にがたつくことを防ぐことができる。
【図面の簡単な説明】
【０００８】
【図１】本実施例における便器装置であって、便器本体に固定された状態を表す斜視図
【図２】便器装置を表す分解斜視図
【図３】便器本体に固定された状態の便器装置の後面側を表す斜視図
【図４】便器本体に固定された状態の便器装置を表す平面図
【図５】蓋部材を取り外した状態の便器装置を表す平面図
【図６】背もたれ部材が取り付けられていない状態の便器装置の前面側を表す斜視図
【図７】背もたれ部材の後面側を表す斜視図
【図８】背もたれ部材と壁部材との係止部を表す断面図
【発明を実施するための形態】
【０００９】
本発明の好ましい形態を以下に示す。
本発明の便器装置は、前記タンクカバー内に配されて前記便器本体に固定されるとともに前記壁部材が固定されるフレームを備えているものとしてもよい。このような構成によれば、背もたれ部材が便器本体に固定されたフレームに支持されるから、背もたれ部材のがたつきをより確実に防ぐことができる。
【００１０】
また、本発明の便器装置は、前記背もたれ部材の後面に設けられて前記壁部材に係止する係止部を備えているものとしてもよい。このような構成によれば、壁部材との係止部が背もたれ部材の後側に隠されるから、外観を良くすることができる。
【００１１】
また、本発明の便器装置は、前記背もたれ部材が、前記壁部材にねじ止めされているものとしてもよい。このような構成によれば、背もたれ部材が壁部材に強固に固定されるから、背もたれ部材のがたつきをより確実に防ぐことができる。
【００１２】
また、本発明の便器装置は、前記タンクカバーの上面側に、蓋部材によって開閉される開口部が設けられ、前記上面側の開口部から前記ねじ止め作業が可能とされているものとしてもよい。このような構成によれば、蓋部材を開けてねじ止め作業を行い、蓋部材を閉じることによりねじ止め箇所を隠すことができるから、外観を良くすることができる。
【００１３】
＜実施例＞
以下、本発明を具体化した一実施例について、図１〜図８を参照しつつ詳細に説明する。
本実施例における便器装置１は、便器本体２に固定されるものであり、洗浄タンク１０と、洗浄タンク１０に固定される背もたれ部材５０とを備えている。便器本体２は、便鉢部３を有し、便鉢部３の上面には、合成樹脂製の便座４が備えられている。便座４は、倒伏状態と起立状態との間を回動可能とされている。
【００１４】
洗浄タンク１０は、便器洗浄水を貯留するタンク１１と、タンク１１の周囲を覆うタンクカバー１２とを備えている。タンク１１は、合成樹脂製のベースプレート１３に載置されている。ベースプレート１３には、便器装置１を便器本体２に取り付けるための取付ボルト１４が複数本、下面から下方に突出して備えられている。
【００１５】
タンクカバー１２は、合成樹脂製であって、タンク１１の左右両側および後側を覆う周壁１５を有し、前面側には壁部材３０によって開閉される開口部（以後、前面開口部１６と称する）と、前面開口部１６よりも下側の部分を覆う前壁１７とを備えている。前壁１７は、便座４の倒伏時には便座４によって隠され、便座４の起立時には前方へ露出される。前壁１７は、前方へ向かって次第に下がる傾斜をなして前方へ突出している。
【００１６】
前面開口部１６は、タンクカバー１２の前面の略全体にわたって形成されている。なお、タンクカバー１２の周壁１５には、肘掛部２４および操作ハンドル２５の軸部がそれぞれ挿通される開口部（図示せず）が設けられている。
【００１７】
また、タンクカバー１２の上面側には、蓋部材１９によって開閉される開口部（以後、上面開口部２１と称する）が設けられている。上面開口部２１は、タンクカバー１２の前端縁に沿って設けられた端縁部２２と周壁１５の上端部とに囲まれてなる。端縁部２２の上面および周壁１５の上端部は、後下がりに傾斜している。上面開口部２１の周縁部には、蓋部材１９を受ける蓋受け部２３が設けられている。
端縁部２２を含む前面開口部１６の周縁部には、後述する取付ねじ３２の軸部が螺合するねじ孔３３が複数設けられている。
【００１８】
蓋部材１９は、合成樹脂製であって、上面開口部２１の全体を塞ぐことが可能とされている。蓋部材１９は、上面開口部２１とほぼ同形状をなす蓋板部１９Ａと、蓋板部１９Ａの外周縁に沿って設けられた周板部１９Ｂとを備えている。蓋部材１９は、周板部１９Ｂの下端を蓋受け部２３に受けさせて、上面開口部２１に被せ付けられる。タンクカバー１２に蓋部材１９を取り付けた状態では、端縁部２２の上面に蓋板部１９Ａがほぼ段差なく連なり、また周壁１５に周板部１９Ｂがほぼ段差なく連なって配される。そして、タンクカバー１２の上面は、その略全体が前端から後端に向かって次第に下がる傾斜面となる。
【００１９】
タンクカバー１２には、前面開口部１６を閉鎖するように壁部材３０が取り付けられている。壁部材３０は、合成樹脂製であって、前面開口部１６の全体を覆うことが可能な略方形の薄板状をなし、その前面には、補強リブ３１が縦横に形成されている。
【００２０】
壁部材３０は、上下方向における中心よりも若干下側寄りの位置を境にして、上側（以後、壁部材上部３０Ａと称する）と下側（以後、壁部材下部３０Ｂと称する）とで勾配が異なるものとされている。そして、壁部材３０がタンクカバー１２に取り付けられた状態では、図８に示すように、壁部材下部３０Ｂはほぼ垂直に立って配され、壁部材上部３０Ａは後ろ上がりに傾斜した姿勢になる。また、壁部材下部３０Ｂの下端部は、便座４の後側に入り込んだ状態になる。
【００２１】
壁部材３０は、図２に示すように、複数の取付ねじ３２によってタンクカバー１２および後述するフレーム４０に固定される。なお、フレーム４０に固定される取付ねじ３２は、タンクカバー１２に固定される取付ねじ３２よりも大きいものとされている。
【００２２】
壁部材３０には、取付ねじ３２によってねじ止めされるねじ止め部３４が複数箇所に設けられている。各ねじ止め部３４には、取付ねじ３２の頭部が収容される凹部３５が凹み形成されている。また、各ねじ止め部３４には、取付ねじ３２の軸部を挿通可能な挿通孔３６が貫通形成されている。
【００２３】
タンクカバー１２に固定されるねじ止め部３４（以後、カバー止め部３４Ａと称する）は、壁部材３０の上端部と下端部とに設けられている。カバー止め部３４Ａは、壁部材３０の上端部の左右両端部および中央部と、下端部の左右両端部とに設けられている。
【００２４】
また、フレーム４０に固定されるねじ止め部３４（以後、フレーム止め部３４Ｂと称する）は、上側のカバー止め部３４Ａよりも下側の位置と、下側のカバー止め部３４Ａよりも上側の位置とに設けられている。上側のフレーム止め部３４Ｂは、後述するフレーム４０の第１横フレーム４３Ａにねじ止めされ、下側のフレーム止め部３４Ｂは縦フレーム４２にねじ止めされる。
そして、壁部材３０には、背もたれ部材５０の係止部６１が係止可能な係止受け部６２が設けられている。係止受け部６２については、後ほど詳しく説明する。
【００２５】
フレーム４０は、タンクカバー１２内に配されて便器本体２に固定されるものである。フレーム４０は、金属製であって、便器本体２の後部上面に載置される載置面部４１と、載置面部４１の左右両端部から上方に立ち上がる左右一対の縦フレーム４２と、左右一対の縦フレーム４２の間に掛け渡された上下一対の横フレーム４３とを備えている。
【００２６】
載置面部４１は板状をなし、その上面にベースプレート１３が重ねられる。また、載置面部４１には、ベースプレート１３に備えられた取付ボルト１４が下方へ貫通可能な貫通孔（図示せず）が形成されている。載置面部４１を貫通した取付ボルト１４は、便器本体２の後部上面に設けられた固定孔（図示せず）にそれぞれ挿通され、下方からナットが締め付けられる。これにより、便器装置１が便器本体２に固定される。
【００２７】
左右一対の縦フレーム４２は、載置面部４１の左右両端部に接合されている。一対の縦フレーム４２は、略平行をなして立ち上がっている。一対の縦フレーム４２は、便器装置１が便器本体２に固定された状態では、便器本体２の幅方向における両端部に配され、また前後方向においてはほぼ同じ位置に配される。一対の縦フレーム４２には、肘掛部２４が固定される肘掛固定部４４が設けられている。また、縦フレーム４２には、取付ねじ３２の軸部が螺合するねじ孔３３が設けられている。
【００２８】
横フレーム４３は、縦フレーム４２の上端部に連結される第１横フレーム４３Ａと、中間部に連結される第２横フレーム４３Ｂとを備えている。第１横フレーム４３Ａには、取付ねじ３２の軸部が螺合するねじ孔３３が設けられている。また、第２横フレーム４３Ｂの左右方向における両端部には、便座４を回動自在に軸支する回動装置が固定される垂下片４５が垂下されている。
【００２９】
背もたれ部材５０は、壁部材３０の前面側に固定される。背もたれ部材５０は、弾性材料によって所定の厚さ寸法を有する略方形の厚板状に形成され、クッション性を有するものとされている。背もたれ部材５０は、正面から見ると壁部材３０よりも若干大きい幅寸法を備えた横方向に長い長方形状をなし、その下端は、便座４の上面に近接して配される。
【００３０】
背もたれ部材５０は、タンクカバー１２の前面の略全体を覆うことが可能とされている。背もたれ部材５０は、壁部材３０同様、上下方向における中心よりも若干下側寄りの位置を境にして、上側（以後、背もたれ上部５０Ａと称する）と下側（以後、背もたれ下部５０Ｂと称する）とで勾配が異なるものとされている。そして、背もたれ部材５０が壁部材３０に取り付けられた状態では、背もたれ下部５０Ｂは壁部材下部３０Ｂの上側部分に沿って配され、背もたれ上部５０Ａは壁部材上部３０Ａの略全体に沿って配される。
【００３１】
背もたれ部材５０は、タンクカバー１２の上面に被さる上面被覆部５１と、壁部材３０の側縁に被さる側面被覆部５２とを備えている。上面被覆部５１は、図７に示すように、背もたれ部材５０の上端縁に沿って、後方に突出して形成されている。上面被覆部５１は、背もたれ部材５０の左右方向の全幅にわたって形成されている。上面被覆部５１の後端縁は、図５に示すように、背もたれ部材５０の前面と同様に湾曲した形状とされている。上面被覆部５１は、図８に示すように、タンクカバー１２の端縁部２２の上面に沿って配され、上面開口部２１までは被さらないものとされている。また、側面被覆部５２によって、肘掛部２４の根元部分が隠され、正面側からは見えないようになっている。
【００３２】
背もたれ部材５０は、壁部材３０の前面に当接し、上面被覆部５１および側面被覆部５２の内側に壁部材３０が配される。すなわち背もたれ部材５０は、壁部材３０の略全体を覆うようになっている。
背もたれ部材５０の後面には、壁部材３０との係止部６１が設けられている。
係止部６１は、図７に示すように、背もたれ部材５０の上端部、中間部および下端部に左右一対ずつ設けられている。背もたれ部材５０の上端部に設けられた係止部６１（以後、第１係止部６１Ａと称する）は、背もたれ部材５０の左右方向における両端部（上端角部）に設けられている。第１係止部６１Ａは、細長い金属板片であり、背もたれ部材５０の後面から片持ち状をなして後方に延出する延出部６３と、延出部６３の先端から下側に屈曲された爪部６４とを有している。また、延出部６３の延出端部（後端部）には、背もたれ部材５０を壁部材３０に固定するための固定ねじ６５の軸部を通すことが可能な孔部６６が形成されている。
【００３３】
背もたれ部材５０の中間部および下端部に設けられた係止部６１（以後、第２係止部６１Ｂと称する）は、端部に係止孔６７が形成された金属板片である。第２係止部６１Ｂの端部は、係止孔６７が上下方向に貫通する向きで背もたれ部材５０の後面から後方に突出している。
【００３４】
係止部６１は、図８に示すように、それぞれ埋設部６８が背もたれ部材５０に埋め込まれて保持されている。第１係止部６１Ａの埋設部６８は、延出部６３の前端から斜め上方に屈曲されている。また、第２係止部６１Ｂの埋設部６８は、背もたれ部材５０の中間部に備えられたものにおいては上方に屈曲され、下端部に備えられたものにおいては、下方に屈曲されている。すべての埋設部６８は、壁部材３０に対して略平行をなしている。中間部に備えられた第２係止部６１Ｂの埋設部６８の長さ寸法は、第１係止部６１Ａの埋設部６８の長さ寸法と同等とされている。また、下端部に備えられた第２係止部６１Ｂの埋設部６８の長さ寸法は、中間部に備えられた第２係止部６１Ｂの埋設部６８の長さ寸法よりも小さくされている。
【００３５】
壁部材３０に設けられた係止受け部６２は、図６に示すように、第１係止部６１Ａに対応する第１係止受け部６２Ａと第２係止部６１Ｂに対応する第２係止受け部６２Ｂとを備えている。係止受け部６２は、係止部６１を前方から後方に通すことが可能な通し孔６９を有している。
【００３６】
第１係止受け部６２Ａは、壁部材３０の上端の左右両角部に設けられている。第１係止受け部６２Ａの通し孔６９は、下部よりも上部が幅広の形状をなし、下部の幅寸法は、延出部６３の幅寸法と同等とされている。第１係止受け部６２Ａは、通し孔６９の下端から後方に突出して設けられて、上面に第１係止部６１Ａが載置される受け部７１を有している（図８参照）。受け部７１は細長い形状をなし、その先端部には、固定ねじ６５の軸部が螺合されるねじ孔７２が形成されている。ねじ孔７２は、タンクカバー１２の上面開口部２１の真下に配され、蓋部材１９を取り外すと、タンクカバー１２の上方に開放される。
【００３７】
第２係止受け部６２Ｂは、図６に示すように、壁部材３０の中間部と下端部とに左右一対ずつ設けられている。第２係止受け部６２Ｂの通し孔６９は方形状をなし、その下縁には係止片部７３が立設されている。係止片部７３は、壁部材３０の壁面に沿って上向きに立っている。係止片部７３は、第２係止部６１Ｂの係止孔６７に入る大きさとされている。そして、通し孔６９の奥（後）には、第２係止部６１Ｂの先端が突き当たる突当部７４が備えられている。
【００３８】
背もたれ部材５０は、係止部６１が係止受け部６２に係止することにより壁部材３０の前面に保持される。すなわち、図８に示すように、第１係止部６１Ａの爪部６４が受け部７１の後端に後方から当接して係止するとともに、第２係止部６１Ｂの係止孔６７に係止片部７３が入り込んで係止することにより、背もたれ部材５０の前方への離脱が防止される。
【００３９】
また、背もたれ部材５０は、壁部材３０にねじ止めされる。係止部６１によって背もたれ部材５０が壁部材３０の前面に保持された状態では、第１係止部６１Ａの孔部６６と、第１係止受け部６２Ａのねじ孔７２とが上下方向に連通して配される。このねじ孔７２に上方から固定ねじ６５を螺合することにより、背もたれ部材５０が壁部材３０にねじ止めされて固定される。
【００４０】
次に本実施例の便器装置１における背もたれ部材５０の取り付けおよび取り外し作業の一例を説明する。
まず、壁部材３０をタンクカバー１２に取り付ける。図２に示すように、取付ねじ３２によって壁部材３０のねじ止め部３４をタンクカバー１２およびフレーム４０にそれぞれねじ止めする。なお、壁部材３０の取り付けおよび取り外し作業は、蓋部材１９の取り付けの有無に関わらず行うことができる。
【００４１】
次いで、背もたれ部材５０を取り付ける。
まず、背もたれ部材５０の係止部６１を壁部材３０の係止受け部６２に引っ掛けて係止させる。係止受け部６２の通し孔６９に係止部６１をそれぞれ通すと、第２係止部６１Ｂの先端が突当部７４に当たる。そこで、背もたれ部材５０を下方に下げると、第２係止部６１Ｂの係止孔６７に係止片部７３が下方から入って第２係止部６１Ｂが第２係止受け部６２Ｂの通し孔６９の下端に当接する。また、第１係止部６１Ａの延出部６３が第１係止受け部６２Ａの受け部７１の上面に当接し、第１係止部６１Ａの爪部６４が第１係止受け部６２Ａの受け部７１の後端に係止する。こうして係止部６１が係止受け部６２に係止し、背もたれ部材５０が壁部材３０の前面に保持される。このとき、第１係止部６１Ａの孔部６６が、第１係止受け部６２Ａのねじ孔７２と上下方向に連通した状態になる。
【００４２】
次に、背もたれ部材５０を壁部材３０にねじ止めする。蓋部材１９を取り外して、上面開口部２１からねじ止め作業を行う。そして、背もたれ部材５０をねじ止めした後、蓋部材１９を被せる。以上により、背もたれ部材５０の取り付け作業が完了する。
【００４３】
一方、背もたれ部材５０を取り外す場合には、蓋部材１９を取り外し、上面開口部２１から固定ねじ６５を緩めて取り外す。その後、背もたれ部材５０を若干上側に持ち上げて、係止部６１の係止受け部６２との係止状態を解除し、背もたれ部材５０を前方へ引いて取り外す。以上により、背もたれ部材５０の取り外し作業が完了する。
【００４４】
次に、上記のように構成された実施例の作用および効果について説明する。
本実施例における便器装置１は、便器洗浄水を貯留するタンク１１の周囲を覆うとともに前面側に前面開口部１６が形成されたタンクカバー１２と、前面開口部１６を閉鎖するように取り付けられる壁部材３０と、壁部材３０の前面側に固定される背もたれ部材５０と、を備えている。この構成によれば、背もたれ部材５０がタンクカバー１２に固定されるから、背もたれ部材５０が前後方向にがたつくことを防ぐことができる。
【００４５】
また、壁部材３０が、タンクカバー１２内に配されて便器本体２に固定されるフレーム４０に固定されている。この構成によれば、背もたれ部材５０が便器本体２に固定されたフレーム４０に支持されるから、背もたれ部材５０のがたつきをより確実に防ぐことができる。
【００４６】
また、壁部材３０との係止部６１が、背もたれ部材５０の後面に設けられている。この構成によれば、壁部材３０との係止部６１が背もたれ部材５０の後側に隠されるから、外観を良くすることができる。
【００４７】
また、背もたれ部材５０が、壁部材３０にねじ止めされている。この構成によれば、背もたれ部材５０が壁部材３０に強固に固定されるから、背もたれ部材５０のがたつきをより確実に防ぐことができる。
【００４８】
また、タンクカバー１２の上面側に、蓋部材１９によって開閉される上面開口部２１が設けられ、上面開口部２１からねじ止め作業が可能とされている。この構成によれば、蓋部材１９を開けてねじ止め作業を行い、蓋部材１９を閉じることによりねじ止め箇所を隠すことができるから、外観を良くすることができる。
【００４９】
＜他の実施例＞
本発明は上記記述及び図面によって説明した実施例に限定されるものではなく、例えば次のような実施例も本発明の技術的範囲に含まれる。
（１）上記実施例では、壁部材３０がフレーム４０とタンクカバー１２とにねじ止めされているが、これに限らず、壁部材をタンクカバーのみ、またはフレームのみにねじ止めするものとしてもよい。
（２）上記実施例では、背もたれ部材５０と壁部材３０との係止構造の具体例を示したが、これに限らず、互いに係止可能であればどのような係止構造としてもよく、また、それを設ける位置および数等は適宜変更してもよい。
（３）上記実施例では、前面開口部１６は、タンクカバー１２の前面の略全体にわたって形成されているが、これに限らず、例えば前面開口部は、タンクカバーの前面の中心部のみ等、一部分に形成されていてもよい。
【符号の説明】
【００５０】
１…便器装置
２…便器本体
１１…タンク
１２…タンクカバー
１６…前面開口部（開口部）
１９…蓋部材
２１…上面開口部（開口部）
３０…壁部材
４０…フレーム
５０…背もたれ部材
６１…係止部
【図１】
0006640485.tif 000002
【図２】
0006640485.tif 000003
【図３】
0006640485.tif 000004
【図４】
0006640485.tif 000005
【図５】
0006640485.tif 000006
【図６】
0006640485.tif 000007
【図７】
0006640485.tif 000008
【図８】
0006640485.tif 000009